(57)【要約】      （修正有）【課題】市販の空調機の吸い込み口に取り付けると共に、吸い込み口を吹き出し口から遠ざけて、室内に冷暖気を十分に行き渡らせることにより、省エネルギーを達成し、かつ迅速に室内温度の均一化を図る空調ダクト設備を提供する。【解決手段】室内空間の一側面に設置される空調機の吸い込み口に連結される省エネルギー型であり、迅速に室内温度の均一化を図る空調ダクト設備であって、当該空調機の吸い込み口を覆うように該空調機に連結される連結部１０と、前記吸い込み口から離れる方向に向かって延伸するように、前記連結部と接続される、少なくとも一つの風導管２０と、を備え、前記少なくとも一つの風導管における、前記連結部に接続される一端の相対する他端に遠端開口２１が設けられる。【選択図】図１
0003224226.tif 000002
【実用新案登録請求の範囲】
【請求項１】
室内空間の一側面に設置される空調機の吸い込み口に連結される、省エネルギー型であり、迅速に室内温度の均一化を図る空調ダクト設備であって、
当該空調機の吸い込み口を覆うように該空調機に連結される連結部と、
前記吸い込み口から離れる方向に向かって延伸するように、前記連結部と接続される、少なくとも一つの風導管と、を備え、
前記少なくとも一つの風導管における、前記連結部に接続される一端の相対する他端に遠端開口が設けられることを特徴とする、省エネルギー型であり、迅速に室内温度の均一化を図る空調ダクト設備。
【請求項２】
前記少なくとも一つの風導管の遠端開口の面積が、当該空調機の吸い込み口の面積より大きいことを特徴とする請求項１に記載の、省エネルギー型であり、迅速に室内温度の均一化を図る空調ダクト設備。
【請求項３】
前記少なくとも一つの風導管の数が二つであり、該両風導管の遠端開口の合計面積が、当該空調機の吸い込み口の面積より大きいことを特徴とする請求項１又は請求項２に記載の、省エネルギー型であり、迅速に室内温度の均一化を図る空調ダクト設備。
【請求項４】
前記少なくとも一つの風導管が、当該室内空間における、空調機が設置される側面の対向する側面に向かって延伸することを特徴とする請求項１又は請求項２に記載の、省エネルギー型であり、迅速に室内温度の均一化を図る空調ダクト設備。
【請求項５】
前記少なくとも一つの風導管の数が二つであり、該両風導管の遠端開口がそれぞれ、当該室内空間における、空調機が設置されていない、対向する両側面に向かって延伸することを特徴とする請求項１又は請求項２に記載の、省エネルギー型であり、迅速に室内温度の均一化を図る空調ダクト設備。
【考案の詳細な説明】
【技術分野】
【０００１】
本考案は、風導管に関し、特にエアコンの吸い込み口に取り付けられるダクト設備に関するものである。
【背景技術】
【０００２】
従来技術の空調機は、吹き出し口及び吸い込み口を備え、室内の空気を、該吸い込み口から該空調機内へ吸い込み、該空調機内の熱交換器（例えば、冷媒蒸発器など）により熱交換を行った後、冷たい又は暖かい空気を、該吹き出し口から放出する構成である。尚、ここでいう空調機は、冷房機または冷暖房機であっても構わない。
【０００３】
しかしながら、従来技術の空調機は、分離式エアコンの室内機（図６を参照）や、窓据付型エアコンにおける、左右に吹き出し口を有する空調機（図７を参照）、又は窓据付型エアコンにおける、単一吹き出し口の空調機（図８を参照）であるか否かにかかわらず、吹き出し口９１と吸い込み口９２との距離はかなり近いので、吹き出し口から放出された直後の冷気や暖気が、再び吸い込み口へ吸い込まれてしまう（ショートサーキット現象という）ことで、室内に冷暖気が十分に行き渡らなくなるので、冷暖房の性能を十分に発揮できなくなると共に、電力消費量も増加するという問題点があった。
【０００４】
故に、従来技術の空調機を改善する必要があった。
【考案の概要】
【考案が解決しようとする課題】
【０００５】
本考案は、前記の従来技術の欠点に鑑みてなされたものであり、市販の空調機の吸い込み口に取り付けると共に、吸い込み口を吹き出し口から遠ざけて、室内に冷暖気を十分に行き渡らせることにより、省エネルギーを達成し、かつ迅速に室内温度の均一化を図る空調ダクト設備を提供することを目的としている。
【課題を解決するための手段】
【０００６】
上記の目的を達成するために、本考案は、室内空間の一側面に設置される空調機の吸い込み口に連結される装置であって、当該空調機の吸い込み口を覆うように該空調機に連結される連結部と、前記吸い込み口から離れる方向に向かって延伸するように、前記連結部と接続される、少なくとも一つの風導管と、を備え、前記少なくとも一つの風導管における、前記連結部に接続される一端の相対する他端に遠端開口が設けられる。
【０００７】
前記少なくとも一つの風導管の遠端開口の面積が、当該空調機の吸い込み口の面積より大きい。
【０００８】
前記少なくとも一つの風導管の数が二つであり、該両風導管の遠端開口の合計面積が、当該空調機の吸い込み口の面積より大きい。
【０００９】
前記少なくとも一つの風導管が、当該室内空間における、空調機が設置される側面の対向する側面に向かって延伸する。
【００１０】
前記少なくとも一つの風導管の数が二つであり、該両風導管の遠端開口がそれぞれ、当該室内空間における、空調機が設置されていない、対向する両側面に向かって延伸する。
【考案の効果】
【００１１】
本考案の構成によれば、該空調機から離れた場所に、空調機の吸い込み口に接続される遠端開口を形成することにより、吹き出し口から放出された直後の冷気や暖気が、再び吸い込み口へ吸い込まれてしまうことを防ぎ、また、吹き出し口から放出された冷気や暖気を、遠端開口へ送ることで、冷暖気を室内に十分に循環流通させるので、室内温度を迅速かつ均一に調節できると共に、電力消費量の節約にもなる。
【図面の簡単な説明】
【００１２】
【図１】本考案の第１実施例を示す斜視図である。
【図２】本考案の第１実施例における一部の構成を示す分解図である。
【図３】本考案の第２実施例を示す上面図である。
【図４】本考案の第２実施例における一部の構成を示す正面図である。
【図５】本考案の第３実施例を示す上面図である。
【図６】異なる仕様の空調機を示す斜視図である。
【図７】異なる仕様の空調機を示す斜視図である。
【図８】異なる仕様の空調機を示す斜視図である。
【考案を実施するための形態】
【００１３】
以下、図面及び本考案の好ましい実施形態と合わせて、本考案が所期の目的を達成するために採用する技術手段について更に述べる。
【００１４】
図１及び図２に示すように、本考案に係る、省エネルギー型であり、迅速に室内温度の均一化を図る空調ダクト設備を、分離型エアコンの室内機Ａに取り付けた実施例においては、該室内機Ａが、室内空間の側面に設置されると共に、吸い込み口Ａ１（図２を参照）及び吹き出し口Ａ２を有し、該吸い込み口Ａ１は、該室内機Ａの頂面に設けられる。尚、本考案はダクト設備であって、連結部１０と二つの風導管２０を備え、前記空調機は、冷房機または冷暖房機であっても構わない。
【００１５】
前記連結部１０は、前記室内機Ａの吸い込み口Ａ１を覆うように、該室内機Ａに連結されることで、空気が該連結部１０を通って、該吸い込み口Ａ１に入ることしかできず、該連結部Ａ以外の外部通路から該吸い込み口Ａ１に入ることができないので、前記吹き出し口Ａ２から放出された直後の冷気や暖気が、すぐに吸い込み口Ａ１に吸い込まれてしまうことを防ぐことができる。外観から見ると、該吸い込み口Ａ１が、前記連結部１０により密閉されている。尚、本実施例においては、前記連結部１０の外形が箱体を呈し、この箱体の底部は、該空調機Ａの吸い込み口Ａ１に被せられ、また、この箱体の底部には、該吸い込み口Ａ１と連通する開口部を有するが、該連結部１０の具体的な外形は、それに限定されるものではなく、該連結部１０が、該吸い込み口Ａ１に被さるように、該吸い込み口Ａ１と連通できればよい。
【００１６】
前記二つの風導管２０はそれぞれ、前記吸い込み口Ａ１から離間する方向に向かって延伸するように、前記連結部１０の相対する両側に接続され、該両風導管２０における、連結部１０に接続される一端と相対する他端に遠端開口２１が形成され、前記吹き出し口Ａ２から放出された冷暖気は、該遠端開口２１に向かって行き渡り、該風導管２０を通って該吸い込み口Ａ１に吸い込まれ、前記室内機Ａ内で再び熱交換を行う。このような循環方式により、冷暖気を室内で十分に循環流通させることができるので、室内温度を迅速かつ均一に調節でき、且つ、電力消費量を節約することもできる。尚、前記風導管２０の数は、これに限定されるものではなく、一つまたは複数の風導管２０を設けてもよい。
【００１７】
本実施例においては、前記両遠端開口２１の合計面積を、前記室内機Ａの吸い込み口Ａ１の面積より大きく設定して、本考案によって生じた余計な空気の流路抵抗を減らすことにより、該室内機Ａに十分な空気を吸い込むことができる。
【００１８】
図３及び図４に示すように、本考案の第２実施例において、空調機Ｂは、窓据付型エアコンにおける左右吹き出し口を有する空調機であって、吸い込み口Ｂ１と二つの吹き出し口Ｂ２を有する。この第２実施例は、第１実施例とほぼ同一であるが、両風導管２０Ａがそれぞれ、空調機Ｂが取り付けられていない、対向する両垂直側面Ｖ（図３を参照）に沿って、空調機Ｂが設置される側面の対向する側面Ｐ（図３を参照）まで延伸する点において異なる。このような構成により、該両吹き出し口Ｂ２から放出された冷暖気は、該遠端開口２１Ａ（図３を参照）に向かって行き渡り、該両風導管２０Ａを通って該室内機Ｂに戻ることで、この室内空間で、互いに対称的な２つの循環経路が形成される。
【００１９】
図５に示すように、本考案の第３実施例において、空調機Ｃは、窓据付型エアコンにおける単一吹き出し口の空調機であって、吸い込み口Ｃ１と吹き出し口Ｃ２を有する。この第３実施例は、第１実施例とほぼ同一であるが、該空調機Ｃが、室内空間の隅に設置されている点において異なる。このように、本実施例での風導管２０Ｂの数は、一つのみである。尚、前記風導管２０Ｂの遠端開口２１Ｂが該空調機Ｃの対角位置に設けられていることにより、この室内空間の対角線に沿う冷暖気の循環経路が形成され、それにより、ショートサーキットの問題が改善されると共に、室内温度を迅速に均一化する効果をもたらす。
【００２０】
前記技術特徴について、本考案に係る省エネルギー型であり、迅速に室内温度の均一化を図る空調ダクト設備は、市販の空調機の吸い込み口に取り付けられると共に、該空調機から離間する場所に遠端開口が形成されることにより、吹き出し口から放出された直後の冷気や暖気を、遠端開口へ行き届かせることから、冷暖気を室内で十分に循環流通させて、室内温度を迅速かつ均一に調節でき、また電力消費量を節約することもできる。
【００２１】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２２】
１０、１０Ａ    連結部
２０、２０Ａ、２０Ｂ    風導管
２１、２１Ａ、２１Ｂ    遠端開口
Ａ  室内機
Ａ１、Ｂ１、Ｃ１、９２  吸い込み口
Ａ２、Ｂ２、Ｃ２、９１  吹き出し口
Ｂ、Ｃ  空調機
Ｐ  対向する側面
Ｖ  垂直側面
【図１】
0003224226.tif 000003
【図２】
0003224226.tif 000004
【図３】
0003224226.tif 000005
【図４】
0003224226.tif 000006
【図５】
0003224226.tif 000007
【図６】
0003224226.tif 000008
【図７】
0003224226.tif 000009
【図８】
0003224226.tif 000010